(57)【要約】      （修正有）【課題】取外し用操作部材を吊り下げ用フックと別個に設けており、更にマグネットをねじで固定しており、全体形状が大きくなると共に部品点数が増加してコスト高になる等の課題が有った。【解決手段】マグネットホルダーは被着面に接するヨークとそのヨークに接するマグネットをケース内部に収納し、前記ケースの前記被着面側を除く外側を囲むカバーを設け、前記ケースとカバーの両側面にそれぞれ貫通する軸穴を設け、前記カバーの外側に設けたフック部５の内側にそれぞれ内側に延びる軸部を設け、前記それぞれの軸穴４aに前記それぞれの軸部を前記カバーの外側から貫通挿入し、前記フック部５を左回転方向に約４５度回転させストッパー４bに当たると解除アーム部が被着面を押す為、軸穴４aが相対的に押し上げられて被着面とヨーク端面の間に隙間が出来て磁着力を失い、手で容易にはがす事が出来る。【選択図】図６
2011139864.tif 000002
【特許請求の範囲】
【請求項１】
被着面に接するヨークとそのヨークに接するマグネットをケース内部に収納し、前記ケースの前記被着面側を除く外側を囲むカバーを設け、前記ケースとカバーの両側面にそれぞれ貫通する軸穴を設け、前記カバーの外側に設けたフックの内側にそれぞれ内側に延びる軸部を設け、前記それぞれの軸穴に前記それぞれの軸部を前記カバーの外側から貫通挿入し、前記フックが前記軸部を中心に前記カバーの外側を回転可能にしたことを特徴とするマグネットホルダー。
【請求項２】
前記請求項１において、前記フックのそれぞれの軸部方向と直角方向でフック部方向と反対方向に一定角度変心して延びる解除カム部を設け、被着面が縦の場合は、前記フックの吊り下げ位置から前記被着面から離れる方向に回転させて、前記解除カム部の外端が被着面を押す事により、前記ヨークと被着面の間に隙間を造り、磁着力を弱めるようにした事を特徴とするマグネットホルダー。
【請求項３】
前記請求項2において、前記解除カム部の少なくとも外端面に摩擦力に強い樹脂材料を被服させるようにした事を特徴とするマグネットホルダー。
【発明の詳細な説明】
【技術分野】
【０００１】
この発明は、冷蔵庫や洗濯機の金属外板等にマグネットの磁着力で接合するマグネットケースに、吊り下げ用フックを取付け、これに家庭用品等を吊り下げる日用品に関するものある。  
【背景技術】
【０００２】
従来のものは、前記マグネットケースを取外す時、容易に外れるように、取外し用操作部材を吊り下げ用フックと別個に設けており、更にマグネットをねじで固定しており、全体形状が大きくなると共に部品点数が増加してコスト高になる等の課題が有った。
【先行技術文献】
【特許文献】
【０００３】
【特許文献１】特開2006-133675号公報
【発明の概要】
【０００４】
本発明は上記事情に鑑みてなされたもので、その目的は、前記マグネットケースを取外す時、マグネットの磁着を、取外し用操作部材を別に設けず、吊り下げ用フックの操作で、容易に外れるようにし、マグネット固定ねじを使わずに、前記フックの回転軸をマグネットケースとカバーを貫通させる事で固定し、部品点数を最少にして、コンパクトで低コストな製品を提供しようとするものである。
【発明が解決しようとする課題】
【０００５】
(1) マグネットの磁着を、取外し用操作部材を別に設けず、吊り下げ用フックの操作で、容易に外れるようにする。
(2) マグネット固定ねじを使わずに、他の機能でマグネットを固定する。
【課題を解決するための手段】
【０００６】
(1) マグネットの磁着を、取外し用操作部材を別に設けず、吊り下げ用フックの回転軸部に解除カム部を設け、フックの回転操作でマグネットの磁着を引き剥がす。
(2) マグネット固定ねじを使わずに、前記フックの回転軸をマグネットケースとカバーを貫通させる事で固定する。
【発明の効果】
【０００７】
(1) 取外し用操作部材を別に設けず、部品点数の減少と小型化が図れ、製造コストの低減が図れる。
(2) フックの回転軸をマグネットケースとカバーを貫通させる事で、マグネットの固定と、ケースとカバーの固定が同時に図れる。
【図面の簡単な説明】
【０００８】
【図１】本発明実施例の横断面図
【図２】本発明実施例の縦断面図
【図３】本発明実施例の分解斜視図
【図４】本発明実施例の側面固定時側面図
【図５】本発明実施例の天面使用時側面図
【図６】本発明実施例の天面使用時のフック回転操作による磁着解除
【発明を実施するための形態】
【０００９】
以下に実施例を図1から図6を参照して説明する。
図2は図1の縦断面図で、図3は図1の分解斜視図、図4は側面固定時の側面図、図5は天面固定時の側面図、図6は天面使用時のフック回転操作による磁着解除操作を示す。
1マグネットと2ヨークを交互に挟み、3ケースの3bヨーク溝に2aヨーク端面を挿入し、3ケース外側に4カバーを上から被せる、その後8フックの一方の7軸部を4ケースの4a軸穴と3ケースの3a軸穴を貫通挿入し、その後、他方の7軸部を引いて、両軸部先端間の幅を広げて、前記同様に他方の4ケースの4a軸穴と3ケースの3a軸穴に貫通挿入させることで組付けを完成させる。
実施例では1マグネットを3個と2ヨークを4個使用しているが、1マグネットを1個と2ヨークを2個使用でも成立する。また、8フックは線材の曲げ加工の事例を示しているが、金属ダイカスト、または樹脂成形でもよい。また、6解除カム部の先端に、被着面との摩擦によって被着面に傷が付かないように、摩擦抵抗の少ない強化樹脂のコーティングまたはカバーを被服(図なし)することが好ましい。
【００１０】
次に、実施例の使用方法に就いて説明する。図4は被着面が縦の場合で、5フック部の開口側を外側になるよう取り付ける、この姿勢で取外す場合は図6に見られるように5フック部を左回転方向に約135度回転させ4bストッパーに当たると図6の状態になり7解除アーム部が被着面を押す為、4a軸穴が相対的に押し上げられて被着面と2aヨーク端面の間に隙間が出来て磁着力を失い、手で容易にはがす事が出来る。
図5は被着面が天面にある場合で、5フック部は下側に垂れ下がる形で取り付ける、この姿勢で取外す場合は図6に見られるように5フック部を左回転方向に約45度回転させ4bストッパーに当たると図6の状態になり7解除アーム部が被着面を押す為、4a軸穴が相対的に押し上げられて被着面と2aヨーク端面の間に隙間が出来て磁着力を失い、手で容易にはがす事が出来る。
【産業上の利用可能性】
【００１１】
近年、マグネットは、材質の改良により磁束密度高い製品が使われ、磁着力の増強により接合強度を上げる事は容易であるが、その反面、それを取り外すことが困難になり、取り外しの為の別機構部品を追加して高価な商品になっている。本案は前記した様に8フックの機能を「吊り下げ」と「磁着力解除」の2機能に使い分ける事で部品点数を増加させずに低コストで生産できるようにした。また1マグネットの固定方法も、ねじ締めや、接着剤による接合等を用いず、本案では3ケースと4カバーの側面に4a,3a軸穴を設け、8フックの7軸部を前記軸穴に貫通挿入させるのみで1マグネットの固定と3ケースと4カバーの固定を同時に行い、部品点数の低減のみならず組立工数の低減が図られ、低コストで高機能商品の販売が可能になる。
【符号の説明】
【００１２】
1マグネット、2ヨーク、2aヨーク端面、3ケース、3a軸穴、3bヨーク溝、3cマグネットガイド、4カバー、4a軸穴、4bストッパー、5フック部、6解除カム部、7軸部、8フック(前記5+6+7)
【図１】
2011139864.tif 000003
【図２】
2011139864.tif 000004
【図３】
2011139864.tif 000005
【図４】
2011139864.tif 000006
【図５】
2011139864.tif 000007
【図６】
2011139864.tif 000008
【手続補正書】
【提出日】平成22年3月29日(2010.3.29)
【手続補正１】
【補正対象書類名】図面
【補正対象項目名】図１
【補正方法】変更
【補正の内容】
【図１】
2011139864.tif 000009
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
被着面に接するヨークとそのヨークに接するマグネットをケース内部に収納し、前記ケースの前記被着面側を除く外側を囲むカバーを設けたマグネットホルダーにおいて、前記ケースとカバーの両側面にそれぞれ貫通する軸穴を設け、前記カバーの外側に設けたフックの内側にそれぞれ内側に延びる軸部を設け、前記それぞれの軸穴に前記それぞれの軸部を前記カバーの外側から貫通挿入し、前記フックが前記軸部を中心に前記カバーの外側を回転可能にしたことを特徴とするマグネットホルダー。
【請求項２】
前記請求項１に記載のマグネットホルダーにおいて、前記フックのそれぞれの軸部方向と直角方向でフック部方向と反対方向に一定角度変心して延びる解除カム部を線材の曲げ加工で一体的に設け、被着面が縦の場合は、前記フックの吊り下げ位置から前記被着面から離れる方向に回転させて、前記解除カム部の外端が被着面を押す事により、前記ヨークと被着面の間に隙間を造り、磁着力を弱めるようにした事を特徴とするマグネットホルダー。
【請求項３】
前記請求項２に記載のマグネットホルダーにおいて、前記解除カム部の少なくとも外端面に摩擦力に強い樹脂材料を被服させるようにした事を特徴とするマグネットホルダー。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
マグネットとヨークをケースとカバーで包むマグネット機能と、フックによる吊り下げ機能と、磁着部を引き剥がす解除機能を備えたマグネットホルダーにおいて、前記フックは、一つの部品で構成され、吊り下げ機能と、磁着部を引き剥がす解除機能と、前記ケースとカバーをフックの軸部で貫通させてマグネットを固定する機能を果たすように構成したことを特徴とするマグネットホルダー。
【請求項２】
前記請求項１に記載のマグネットホルダーにおいて、前記フックは、前記ケースとカバー幅の略中央位置で、前記ケースとカバーをフックの軸部で貫通させ、前記軸部方向と直角方向の一方に延びるフック部と、反対方に一定角度変心して延びる解除カム部を、線材の曲げ加工で一体的に構成したことを特長とするマグネットホルダー。        
【請求項３】
前記請求項１及び２に記載のマグネットホルダーにおいて、被着面に接するヨークと、ヨークを包むケースと、前記ケースの前記被着面側を除く外側を囲むカバーを被せ、前記ケースとカバー幅の略中央位置で、両側面にそれぞれ貫通する軸穴を設け、前記フックの内側に延びる軸部を、前記軸穴に貫通挿入し、前記ケースとカバーの組立と前記フックの回転軸機能を備えたことを特徴とするマグネットホルダー。